(57)【要約】【課題】本発明は、加工が容易で施行工数が削減でき、バスダクト導体の伸縮をその接続部で吸収するバスダクトの接続部を提供することにある。【解決手段】導体を接続する導体接続部と、該導体接続部の左右に設けた伸縮吸収部とからなるバスダクトの接続部において、前記伸縮吸収部が導体を折り曲げて構成されている。  前記伸縮吸収部は前記導体をほぼＺ字状、又はＳ字状に折り曲げて構成する。  また、前記導体接続部はバスダクト導体端末部を直接重ね合わせて接合するように構成する。【選択図】図２
2007318935.tif 000002
【特許請求の範囲】
【請求項１】
導体を接続する導体接続部と、該導体接続部の左右に設けた伸縮吸収部とからなるバスダクトの接続部であって、前記伸縮吸収部が導体を折り曲げて構成されていることを特徴とするバスダクトの接続部。
【請求項２】
前記伸縮吸収部が前記導体を略Ｚ字状に、又は略Ｓ字状に折り曲げて構成されている請求項1に記載のバスダクトの接続部。
【請求項３】
前記導体接続部がバスダクト導体端末部を直接重ね合わせて接合してなる請求項1又は２に記載のバスダクトの接続部。
【請求項４】
前記導体接続部が、接続導体とバスダクト導体端末部とが重ね合わされて接続されている請求項1又は２に記載のバスダクトの接続部。
【発明の詳細な説明】
【技術分野】
【０００１】
本発明は、バスダクトの接続部に関するものであり、特に、接続部でバスダクト導体の伸縮を吸収するように構成したバスダクトの接続部に関するものである。
【背景技術】
【０００２】
薄板状の長尺導体と、該導体を被覆するハウジングとからなるバスダクトは、使用環境の変化、特に温度変化によって伸縮するため、バスダクト配線経路に前記伸縮を吸収する伸縮部を設けている。
また、バスダクトは剛性であり、設計通りに工場で製造しても布設現場では若干の寸法誤差が生じるために、この誤差を吸収するための伸縮部を設けているものもある。
例えば特許文献１では、配線回路の途中に導体を波型に折り曲げた可撓部が設けられて伸縮、又は誤差を吸収し、また、特許文献２では、導体相互の接続を可撓性を有する導電性接続部材で吸収する技術が開示され、接続導体に可撓性を付与してバスダクト導体の伸縮を吸収している。
【０００３】
【特許文献１】特開平０６−６２５１６号公報
【特許文献２】特開２００２−２３３０３９号公報
【発明の開示】
【発明が解決しようとする課題】
【０００４】
しかし、特許文献１に記載のバスダクトは布設ルートに対する対処、導体の伸縮吸収に対する対策には優れているが、導体の接続部においては配慮されていない。
また、特許文献２に記載のバスダクトの接続部は、導体相互を接続するのに特別な可撓性を有する導電性接続部材を必要とし、施行の煩雑性、コスト高を招く等の課題がある。
【０００５】
上記バスダクトにおいては、その導体の接続は一般に図１に示すように、バスダクト導体３１の端部に脊切り加工を施して段部９を形成し、両側の導体３１の高さを揃え、端部同士を重ね合わせてボルトナット８で接続している。このような導体接続部に絶縁導体３の伸縮力が作用すると、脊切り加工した段部９に繰返して応力が集中し、経年の使用でこの段部９に亀裂が入り、最悪の場合には導通不能に至る危険性もあった。
また上記バスダクトにおいては、バスダクトを配線するにあたっては、配線の途中に、あるいは接続部内に可撓性伸縮吸収部を設けると共に、導体接続部にも脊切り加工を施す等、作業工数は複数に及び、施行が複雑化し、コストの上昇をきたす等の課題を有していた。
【０００６】
本発明の目的は、上記の課題を解消し、長年の使用に対しても接続部で導通不良が発生することなく、バスダクトの設計が容易で、施行工数が削減でき、バスダクト導体の伸縮をその接続部で吸収するバスダクトの接続部を提供することにある。
【課題を解決するための手段】
【０００７】
本発明のバスダクトの接続部は、その導体を接続する導体接続部と、該導体接続部の左右に設けた伸縮吸収部とからなり、前記伸縮吸収部が導体を折り曲げて構成されていることを特徴とする。
【０００８】
前記伸縮吸収部は前記導体を略Ｚ字状に折り曲げて構成することが好ましい。
あるいは、前記伸縮吸収部は前記導体を略Ｓ字状に折り曲げて構成することが好ましい。
また、前記バスダクトの導体接続部は、その導体の端末部を直接重ね合わせて接合するように構成することが好ましい。
さらに、前記バスダクトの導体端末部は、その導体の端末部に接続導体を重ね合わせて接合するように構成することが好ましい。
【発明の効果】
【０００９】
本発明は、バスダクト導体の接続部で導体の伸縮を吸収するように構成したので、接続部に応力が集中することがなく、設計が容易で施行工数を削減したバスダクトの接続部を提供することができる。
【発明を実施するための最良の形態】
【００１０】
本発明の第一実施形態を、図２に示すバスダクトの接続部を例として説明する。
図２は本発明の対象となるバスダクト１の接続部で、図２（イ）は側面から見た説明図、同（ロ）は平面から見た説明図である。バスダクト１は、絶縁体３２でバスダクト導体３１を被覆した絶縁導体３と、該絶縁導体３を収納するハウジング２とで構成され、絶縁導体３はハウジング端末から所定の長さ食み出している。
【００１１】
バスダクト１の接続部４を組み立てるには、一方のバスダクトハウジング２の端末から食み出した絶縁導体３から絶縁体３２を剥離して導体３１を露出し、その露出した導体３１の中間部をクランク状、本実施形態では略Ｚ字状に折り曲げて伸縮吸収部４２を形成し、導体の先端部分、即ち相手側の導体と接合し接続する導体接続部４１にボルト貫通孔を穿設する。他方のバスダクトも同様に処理してＺ字状に折り曲げた伸縮吸収部４２、導体接続部４１、ボルト貫通孔を設ける。
上記のように導体の端末部分を加工したバスダクト相互を、その導体接続部４１、４１を重ね合わせ、ボルト貫通孔にボルト４３を挿通し、ナットで締付けてバスダクト相互を接続し、接続部を接続カバーで被覆する。なお、図２においては、接続カバーの表示は省略している。
上述したように導体接続部に伸縮吸収部４２、４２を設けたことで、例えば設計時の配置と施行時の位置とが若干ずれて段差が生じ、あるいは導体の寸法に若干の誤差が生じても伸縮吸収部４２でその差を吸収することができ、設計、施行が極めて容易となる。
【００１２】
図３は絶縁導体３が熱等の影響で伸びた時の伸縮吸収部４２の変形を模式図的に示したものであり、図４は絶縁導体３が熱等の影響で縮んだ時の伸縮吸収部４２の変形する状態を模式図的に示したものである。図示するように絶縁導体３が伸びると伸縮吸収部４２は折り曲げ部分の角度をより鋭角にして（曲がりを大きくして）その伸びを吸収する。一方、絶縁導体３が縮むと、伸縮吸収部４２は折り曲げ部の角度をより鈍角に（曲がりを小さく）するように変形して絶縁導体３の縮みを吸収する。このように、導体の伸縮を複数箇所の変形で吸収するため、応力が特定の点に集中することがなく、接続部に亀裂等が発生する危険性はない。
【００１３】
上記実施形態においては、絶縁導体３の絶縁体３２を剥離する範囲を伸縮吸収部４２の部分にまで広げ、裸の導体３１を折り曲げて伸縮吸収部４２を構成したが、伸縮吸収部４２を絶縁体３２を剥離せずに絶縁体３２の部分を折り曲げて構成してもよい。
【００１４】
なお、上記実施形態では、前記伸縮吸収部４２は前記導体を略Ｚ字状に折り曲げたが、クランク状に折り曲げるのはＺ字状に限らず、絶縁導体３の伸びを吸収できる形状であれば何でもよく、たとえば、略Ｓ字状に折り曲げて設けてもよい。
【００１５】
また、前記第一実施形態における導体接続部は、バスダクト導体端末部を直接重ね合わせて接合するように構成し、このように構成することで接続部をコンパクトに構成することができるが、配線に余裕があれば、両導体間に図５に示すように接続導体５１を介して接続するように構成することもできる。
【００１６】
図５は本発明の第二実施形態を示すもので、バスダクト導体３１、３１間を接続導体５１を介して接続するもので、ボルト貫通孔を備えた接続導体５１を、該接続導体５１と各導体接続部４１とを重ね合わせ、ボルト貫通孔にボルト４３を挿通し、ナットで締付けてバスダクト相互を接続し、接続部を接続カバーで被覆する。前記接続導体５１は、絶縁導体３の導体３１の材質に合わせて、銅あるいはアルミニウム等の金属からなり、略板状に形成されている。なお、図５においても、接続カバーの表示は省略している。
【００１７】
図６は本発明の第三実施形態を示すもので、クランク状に折り曲げられた伸縮吸収部６１において、その立上り部Ａの中程部分を薄肉として易湾曲部Ｄとしたものである。伸縮吸収部６１の立上り部Ａの中程部分を薄肉とすることにより、薄肉部分が曲がり易くなり、伸縮吸収部６１に曲げ力が加わったときに、導体３１の平らな部分Ｂ、Ｃと立上り部分Ａとの角部Ｂ１、Ｃ１に加わる力が易湾曲部Ｄの曲げによって緩和される。したがって、本実施形態の易湾曲部Ｄを設けた接続部は耐久性に優れたものとなる。
【００１８】
本発明バスダクトの接続部は、ハウジングから食み出した導体部分を折り曲げるだけで絶縁導体３の伸縮を吸収できる伸縮吸収部を形成できるので容易に加工ができ、接続部の組立はバスダクト導体３１の端末部を重ね合わせ、あるいは接続導体５１を介して接合するだけで施行でき、バスダクトの設計と実際の施行時との寸法誤差を伸縮吸収部で吸収することができ、設計及び施行が従来に比較して簡素化することができる。また、接続部全体をコンパクトに構成することができる。
【００１９】
また、伸縮吸収部６１の立上り部に易湾曲部Ｄを設けて該部分を曲がり易くすることで接続部の耐久性が更に優れたものとなる。
【図面の簡単な説明】
【００２０】
【図１】従来のバスダクトの接続部を示す説明図である。
【図２】本発明のバスダクト接続部の第一実施形態を示す説明図である。
【図３】本発明のバスダクト接続部におけるブスバーが伸びた状態における伸縮吸収部の変形状態を示す説明図である。
【図４】本発明のバスダクト接続部におけるブスバーが縮んだ状態における伸縮吸収部の変形状態を示す説明図である。
【図５】本発明のバスダクト接続部の第ニ実施形態を示す説明図である。
【図６】本発明のバスダクト接続部の第三実施形態を示す説明図である。
【符号の説明】
【００２１】
１    バスダクト
２    ハウジング
３    絶縁導体
３１  導体
３２  絶縁体
４    接続部
４１  導体接続部
４２  伸縮吸収部
４３  ボルト
５１  接続導体
Ｄ    易湾曲部
【図１】
2007318935.tif 000003
【図２】
2007318935.tif 000004
【図３】
2007318935.tif 000005
【図４】
2007318935.tif 000006
【図５】
2007318935.tif 000007
【図６】
2007318935.tif 000008